(57)【要約】【課題】  本発明は容器本体内に尿素配合組成物と噴射剤が充填される尿素配合組成物用エアゾール容器に関し、尿素配合組成物を充填しても容器劣化の発生を抑制することを課題とする。【解決手段】  容器本体２内に内容物１２（尿素配合組成物と噴射剤）が充填される尿素配合組成物用エアゾール容器であって、容器本体２内に耐尿素性を有する内袋１１（ポリエチレン、エバール、ナイロンから選ばれる一種あるいは二種以上を積層した構造）を設け、尿素配合組成物を含む内容物１２をこの内袋１１内に充填する。【選択図】  図１
2005329048.tif 000002
【特許請求の範囲】
【請求項１】
容器本体内に尿素配合組成物と噴射剤が充填される尿素配合組成物用エアゾール容器であって、
前記容器本体内に耐尿素性を有する内袋を設け、前記尿素配合組成物を該内袋内に充填したことを特徴とするエアゾール容器。
【請求項２】
請求項１記載の尿素配合組成物用エアゾール容器において、
前記内袋は、ポリエチレン、エバール、ナイロンから選ばれる一種あるいは二種以上を積層した構造であることを特徴とする尿素配合組成物用エアゾール容器。
【請求項３】
請求項１または２記載の尿素配合組成物用エアゾール容器において、
前記容器本体は、その内面にエポキシ樹脂、ポリアミドイミド樹脂、及びテフロン（登録商標）樹脂から選ばれる一または複数の樹脂膜が形成されてなることを特徴とする尿素配合組成物用エアゾール容器。
【請求項４】
請求項１乃至３のいずれか１項に記載の尿素配合組成物用エアゾール容器において、
前記尿素配合組成物は、尿素を含む原液中に、水に不溶または難溶で低級アルコールに可溶な薬物、低級アルコール、水、及び有機酸を少なくとも含むことを特徴とする尿素配合組成物用エアゾール容器。
【請求項５】
請求項４記載の尿素配合組成物用エアゾール容器において、
前記尿素配合組成物が溶解系または可溶化系の液状であることを特徴とする尿素配合組成物用エアゾール容器。
【請求項６】
請求項１乃至５のいずれか１項に記載の尿素配合組成物用エアゾール容器において、
前記噴射剤に少なくともジメチルエーテルを含むことを特徴とする尿素配合組成物用エアゾール容器。
【請求項７】
請求項１乃至６のいずれか１項に記載の尿素配合組成物用エアゾール容器において、
前記尿素配合組成物に含まれる前記尿素の配合量を５質量パーセント以上３０質量パーセント以下にしたことを特徴とする尿素配合組成物用エアゾール容器。
【発明の詳細な説明】
【技術分野】
【０００１】
本発明は尿素配合組成物用エアゾール容器に係り、特に容器本体内に尿素配合組成物と噴射剤が充填される尿素配合組成物用エアゾール容器に関する。
【背景技術】
【０００２】
近年、住宅環境や生活環境の変化により皮膚の乾燥性疾患が増加している。特に、秋季から春先にかけては、広範な皮膚の乾燥症状を伴う様々な疾患が多く見られ、しばしば痒みを伴うために保湿剤やかゆみ止めの治療薬が用いられる。
【０００３】
尿素は皮膚の角質の保湿性を高める作用や、角質溶解作用があるので、上記の乾燥性皮膚疾患に加えて尋常性魚鱗癬、老人性乾皮症、アトピー性皮膚炎、進行性指掌角皮症等の皮膚疾病の治療に用いたり、また薬物の経皮吸収促進剤として用いたりしている。また、尿素は保湿効果に優れ、安全性が高いことから、医薬品をはじめとして医薬部外品や化粧品にも配合されている。尿素を配合した尿素配合組成物は、従来、クリーム、乳液、軟膏、ゲル、パップ剤等の外用剤を中心として開発されてきた。
【０００４】
しかしながら、乾燥性皮膚疾患が全身に広範囲に広がっていたり、或いは後側腹部、背部、腰部等の外用剤の塗布が困難な部位へ広がっていたりした場合、使い勝手の向上を図るため、近年ではエアゾール剤の開発がなされている。特に保湿成分に尿素配合組成物を配合したエアゾール剤としては、例えば、特許文献１，２に実施例が見られる。
【特許文献１】特開２００２−１６７３２８号公報
【特許文献２】特公平７−７４１５２号公報
【発明の開示】
【発明が解決しようとする課題】
【０００５】
ところで、エアゾール容器は内部に高圧の噴射剤を充填する必要があるため、耐圧容器とする必要がある。このため、従来から容器本体の材質としては、アルミニウム、ブリキ、ガラス、スチール、ポリエチレンテレフタレート等の樹脂等が多用されている。また、このなかでも、軽量でかつ耐圧特性の良好なアルミニウム製の容器本体を有したエアゾール容器が広く用いられている。また、アルミニウム製の容器本体は、内面にフッ素系或いはポリアミドイミド系の樹脂で内面コートされているのが一般的である。
【０００６】
しかしながら、このように通常広く用いられているアルミニウム製の容器本体に尿素配合組成物を充填したところ、内面コートに劣化や剥離が発生し、また場合によってはアルミニウム製の容器本体自体に損傷が及ぶ事例が発生した。
【０００７】
本発明は上記の点に鑑みてなされたものであり、尿素配合組成物を充填しても容器劣化の発生しない尿素配合組成物用エアゾール容器を提供することを目的とする。
【課題を解決するための手段】
【０００８】
上記の課題を解決するために本発明では、次に述べる各手段を講じたことを特徴とするものである。
【０００９】
請求項１記載の発明は、
容器本体内に尿素配合組成物と噴射剤が充填される尿素配合組成物用エアゾール容器であって、
前記容器本体内に耐尿素性を有する内袋を設け、前記尿素配合組成物を該内袋内に充填したことを特徴とするものである。
【００１０】
また、請求項２記載の発明は、
請求項１記載の尿素配合組成物用エアゾール容器において、
前記内袋は、ポリエチレン、エバール、ナイロンから選ばれる一種あるいは二種以上を積層した構造であることを特徴とするものである。
【００１１】
また、請求項３記載の発明は、
請求項１または２記載の尿素配合組成物用エアゾール容器において、
前記容器本体は、その内面にエポキシ樹脂、ポリアミドイミド樹脂、及びテフロン（登録商標）樹脂から選ばれる一または複数の樹脂膜が形成されてなることを特徴とするものである。
【００１２】
また、請求項４記載の発明は、
請求項１乃至３のいずれか１項に記載の尿素配合組成物用エアゾール容器において、
前記尿素配合組成物は、尿素を含む原液中に、水に不溶または難溶で低級アルコールに可溶な薬物、低級アルコール、水、及び有機酸を少なくとも含むことを特徴とするものである。
【００１３】
また、請求項５記載の発明は、
請求項４記載の尿素配合組成物用エアゾール容器において、
前記尿素配合が溶解系または可溶化系の液状であることを特徴とするものである。
【００１４】
また、請求項６記載の発明は、
請求項１乃至５のいずれか１項に記載の尿素配合組成物用エアゾール容器において、
前記噴射剤に少なくともジメチルエーテルを含むことを特徴とするものである。
【００１５】
また、請求項７記載の発明は、
請求項１乃至６のいずれか１項に記載の尿素配合組成物用エアゾール容器において、
前記尿素配合組成物に含まれる前記尿素の配合量を５質量パーセント以上３０質量パーセント以下にしたことを特徴とするものである。
【発明の効果】
【００１６】
本発明によれば、内容物として尿素配合組成物を用いても容器本体に損傷が生じることはなく、安定した信頼性の高いエアゾール容器を実現することができる。
【発明を実施するための最良の形態】
【００１７】
次に、本発明を実施するための最良の形態について図面と共に説明する。
【００１８】
次に、本発明の実施の形態について図面と共に説明する。
【００１９】
本発明者らは、上記の尿素配合組成物を内容物とするエアゾール容器において発生する内面コーティングの剥離や劣化を防止するために鋭意検討を重ねた結果、容器本体内に特定の樹脂性の内袋を用いることにより前記問題点を克服できることを見出し、本発明の完成に至った。
【００２０】
図１は、本発明の一実施例である尿素配合組成物用エアゾール容器１（以下、単にエアゾール容器という）を示している。エアゾール容器１は、容器本体２，吐出ボタン４，マウンティングカップ１０，及び内袋１１等を有した構成とされている。
【００２１】
容器本体２はアルミニウム製であり、その内面にはエポキシ樹脂、ポリアミドイミド樹脂、及びテフロン（登録商標）樹脂から選ばれる一または複数の樹脂膜１４がコーティングされている。また、バルブ３はステム６が押圧操作されることにより開閉動作を行なう弁体であり、ステム６が押圧されない状態で閉弁し、押圧された状態で開弁する構成となっている。このステム６の下部にはディップチューブ１３が接続されている。
【００２２】
吐出ボタン４は樹脂成形されたものであり、吐出口７，操作部８，及び吐出通路９等が一体成形された構成とされている。この吐出ボタン４は、ステム６に固着されることにより容器本体２に固定される。
【００２３】
また、吐出口７は容器本体２に充填された内容物１２（後述する尿素配合組成物と噴射剤よりなる）を外部に向け吐出する部位であり、吐出ボタン４内に形成された吐出通路９によりステム６と連通した構成とされている。よって、吐出ボタン４の上部に位置する操作部８を押圧操作することにより、ステム６は開弁し、容器本体２に充填されている内容物１２は吐出通路９を通り吐出口７から吐出される。
【００２４】
ここで、容器本体２の内部に注目すると、本発明では容器本体２の内部に内袋１１を設けた構成とされている。この内袋１１は、ポリエチレン、エバール、ナイロンから選ばれる一種あるいは二種以上を積層した構造とされている。具体的な材料の組み合わせとしては、(1)内袋１１をポリエチレンのみから形成する構造、(2)内袋１１を、外層をエバールとし内層をポリエチレンとした二重積層構造、(3)内袋１１を、外層をポリエチレンとし中間層をエバールとし内層をポリエチレンとした三重積層構造、(4)内袋１１をナイロンのみから形成する構造等が考えられる。  上記構造とされた内袋１１は、上部開口をマウンティングカップ１０に液密に巻き締められることにより容器本体２に固定されている。そして、エアゾール容器１の内容物１２となる尿素配合組成物は、この内袋１１の内部に充填される。
【００２５】
次に、内袋１１の内部に充填される尿素配合組成物について説明する。本発明で用いられる尿素配合組成物は、原液中に少なくとも尿素、水に不溶または難溶で低級アルコールに可溶な薬物、低級アルコール、水、有機酸を含み、噴射剤に少なくともジメチルエーテルを含んだ構成とされている。
【００２６】
本発明の尿素配合組成物は、溶解系または可溶化系の液状であることを特徴とし、いわゆる油相成分を全く含まないか含んだとしてもわずかである。このため、使用性に関して、患部の乾燥疾患に対して十分に効果があるとともに、べたつかずさっぱりとした使用感に大きな特徴がある。
【００２７】
本発明で用いられる尿素の配合量は、５〜３０質量％が好適であり、好ましくは８〜２５質量％、特に好ましくは１０〜２０質量％である。尿素の配合量が少ないと、製剤に十分な保湿性が得られないために好ましくなく、逆に多すぎると皮膚に対する安全性が悪くなってしまうために好ましくない。
【００２８】
本発明で用いられる水に不溶または難溶で低級アルコールに可溶な薬物は、例えば、ジフェンヒドラミン、リドカイン、酢酸トコフェロール、Ｌ−メントール、カンフル、チモール、クロルフェニラミン、トリペレナミン、ジフェニルイミダゾール、プロメタジン、フェンベンズアミン、トリジルアミン、ジブカイン、アミノ安息香酸エチル、プロカイン、テトラカイン、テーカイン、メピバカイン、ピペロカイン、カタカイン、プビルカイン、プラモキシン、エピロカイン、メブリルブタニカイン、プロピトカイン、ベンゾカイン、インドメタシン、フルルビプロフェン、ケトプロフェン、イブプロフェンピコノール、ピロキシカム、メフェナム酸、フルフェナム酸、フルフェナム酸ブチル、イブプロフェン、ナプロキセン、アルクロフェナク、ジクロフェナク、フェンブフェン、クリダナク、フェニルブタゾン、ブフェキサマク、グリチルレチン酸、メピリゾール、アセトアミノフェン、ニコチン酸ベンジルエステル、Ｄ−ボルネオール、カプサイシン、ニコチン酸トコフェロール、イクタモール、ノニル酸ワレニルアミド等から選ばれる１種または２種以上から選定することが出来る。
【００２９】
本発明で用いられる水に不溶または難溶で低級アルコールに可溶な薬物の配合量は、０．０５〜１０質量％が好適であり、好ましくは０．２〜８質量％、特に好ましくは０．５〜５質量％である。
【００３０】
本発明で用いられる水に不溶または難溶で低級アルコールに可溶な薬物の配合量が少ないとその薬理効果を十分に発揮することができないため好ましくなく、逆に多すぎると系に対する溶解性が悪くなったり、安全性が損なわれるため好ましくない。
【００３１】
また、本発明で用いられる低級アルコールは、例えばエタノール、プロパノール、イソプロピルアルコール、変性エタノール等があげられ、必要に応じて一種または二種以上を併用することが出来る。これらのうち特に好ましいのは、エタノールおよび変性エタノールである。
【００３２】
本発明で用いられる低級アルコールの配合量は、５〜５０質量％が好適であり、好ましくは１０〜３０質量％、特に好ましくは１５〜２５質量％である。本発明で用いられる低級アルコールの配合量が少ないとその薬理効果を十分に発揮することができないため好ましくなく、逆に多すぎると尿素の溶解性や安全性が悪くなるために好ましくない。
【００３３】
また、本発明で用いられる有機酸は尿素の安定化のために用いるが、例えば乳酸、クエン酸、酒石酸、リン酸、マレイン酸、イソクエン酸、リンゴ酸、フマル酸、コハク酸、グルコン酸、マロン酸、シュウ酸、メタクリル酸、グルタル酸、メバロン酸、フタル酸、エチレンジアミン四酢酸、オキシ酢酸、グリコール酸、アスコルビン酸、スルファミン酸、炭酸、ホウ酸、ピルビン酸等があげられ、必要に応じて一種または二種以上を併用することが出来る。これらのうち特に好ましいのは、乳酸およびクエン酸である。
【００３４】
本発明で用いられる有機酸の配合量は、０．０５〜５質量％が好適であり、好ましくは０．１〜３質量％、特に好ましくは０．５〜２質量％である。特定の有機酸の配合量が少ないと尿素の安定化効果が得られず、逆に多すぎると皮膚への安全性が悪くするために好ましくない。
本発明においては、本組成物溶液の溶解または可溶化に際し、界面活性剤が好適に用いられる。
【００３５】
本組成物溶液に用いられる界面活性剤としては、非イオン性、アニオン性、カチオン性、両性の界面活性剤のいずれでも用いることが可能であるが、好ましくは、非イオン性およびアニオン性界面活性剤である。
【００３６】
本組成物溶液に用いられる非イオン性界面活性剤としては、例えば、ソルビタンモノオレエート、ソルビタンモノステアレート、ソルビタンモノラウレート、ソルビタンモノパルミテート、ソルビタンモノイソステアレート、ソルビタンセスキオレエート、ソルビタントリオレエート、ペンタ−２−エチルヘキシル
酸ジグリセロールソルビタン、テトラ−２−エチルヘキシル酸ジグリセロールソルビタン等のソルビタン脂肪酸エステル類、モノステアリン酸グリセリン、セスキオレイン酸グリセリン、ジイソステアリン酸デカグリセリン、オレイン酸デカグリセリン、ステアリン酸デカグリセリン、モノエルカ酸グリセリン等のグリセリン、ポリグリセリン脂肪酸類、モノステアリン酸プロピレングリコール等のプロピレングリコール脂肪酸エステル類、硬化ヒマシ油誘導体、グリセリンアルキルエーテル等が挙げられる。
【００３７】
更に、例えば、ＰＯＥソルビタンモノオレエート、ＰＯＥソルビタンモノステアレート、ＰＯＥソルビタンテトラオレエート等のＰＯＥソルビタン脂肪酸エステル類、ＰＯＥソルビットモノラウレート、ＰＯＥソルビットモノオレエート、ＰＯＥソルビットペンタオレエート、ＰＯＥソルビットモノステアレート等のＰＯＥソルビット脂肪酸エステル類、ＰＯＥグリセリンモノステアレート、ＰＯＥグリセリンモノイソステアレート、ＰＯＥグリセリントリイソステアレート等のＰＯＥグリセリン脂肪酸エステル類、ＰＯＥモノオレエート、ＰＯＥモノステア
レート、ＰＯＥジステアレート、ＰＯＥモノジオレエート等のＰＯＥ脂肪酸エステル類、ＰＯＥラウリルエーテル、ＰＯＥオレイルエーテル、ＰＯＥステアリルエーテル、ＰＯＥベヘニルエーテル、ＰＯＥ２−オクチルドデシルエーテル、ＰＯＥコレスタノールエーテル等のＰＯＥアルキルエーテル類、ＰＯＥオクチルフェニルエーテル、ＰＯＥノニルフェニルエーテル、ＰＯＥジノニルフェニルエーテル等のＰＯＥアルキルフェニルエーテル類、プルロニック等のプルロニック型類、ＰＯＥ・ＰＯＰセチルエーテル、ＰＯＥ・ＰＯＰ２−エチルテトラデシルエーテル、ＰＯＥ・ＰＯＰモノブチルエーテル、ＰＯＥ・ＰＯＰグリセリンエーテル等のＰＯＥ・ＰＯＰアルキルエーテル類、テトロニック等のテトラＰＯＥ・テトラＰＯＰエチレンジアミン縮合物等、ＰＯＥヒマシ油、ＰＯＥ硬化ヒマシ油、ＰＯＥ硬化ヒマシ油モノイソステアレート、ＰＯＥ硬化ヒマシ油トリイソステアレート、ＰＯＥ硬化ヒマシ油マレイン酸等のＰＯＥヒマシ油硬化ヒマシ油誘導体、ヤシ油脂肪酸ジエタノールアミド、ラウリン酸モノエタノールアミド、脂肪酸イソプロパノールアミド等のアルカノールアミド、ＰＯＥプロピレングリコール脂肪酸エステル、ＰＯＥアルキルアミン、ＰＯＥ脂肪酸アミド、ショ糖脂肪酸エステル等が挙げられる。
【００３８】
一方、アニオン界面活性剤としては、例えば、ラルリル硫酸ナトリウム、ラルリル硫酸カリウム等の高級アルキル硫酸エステル塩、ＰＯＥラルリル硫酸トリエタノールアミン、ＰＯＥラルリル硫酸ナトリウム等のアルキルエーテル硫酸エステル類、ラウロイルサルコシンナトリウム等のＮ−アシルサルコシン酸、Ｎ−ミリストイル−Ｎ−メチルタウリンナトリウム、ヤシ油脂肪酸メチルタウリッドナトリウム、ラウリルメチルタウリッドナトリウム等の高級脂肪酸アミドスルホン酸塩、ＰＯＥオレイルエーテルリン酸ナトリウム、ＰＯＥステアリルエーテルリン酸ナトリウム等のリン酸エステル塩、ジ−２−エチルヘキシルスルホコハク酸ナトリウム、モノラウロイルモノエタノールアミドポリオキシエチレンスルホコハク酸ナトリウム、ラウリルポリプロピレングリコールスルホコハク酸ナトリウム等のスルホコハク酸塩、リニアドデシルベンゼンスルホン酸ナトリウム、リニアドデシルベンゼンスルホン酸トリエタノールアミン、リニアドデシルベンゼンスルホン酸等のアルキルベンゼンスルホン酸塩、Ｎ−ラウロイルグルタミン酸モノナトリウム、Ｎ−ステアロイルグルタミン酸ジナトリウム、Ｎ−ミリストイル−Ｌ−グルタミン酸モノナトリウム等のＮ−アシルグルタミン酸塩、硬化ヤシ油脂肪酸グリセリン硫酸ナトリウム等の高級脂肪酸エステル硫酸エステル塩、ＰＯＥアルキルアリルエーテルカルボン酸塩、α−オレフィンスルホン酸塩、高級脂肪酸エステルスルホン酸塩、高級脂肪酸アルキロールアミド硫酸エステル塩、ラウロイルモノエタノールアミドコハク酸ナトリウム、Ｎ−パルミトイルアスパラギン酸トリエタノールアミン、カゼインナトリウム等が挙げられる。
【００３９】
本組成物溶液に用いられる界面活性剤は、一種又は二種以上を選択して配合される。本組成物溶液に用いられる界面活性剤の配合量は、０．０１〜１０質量％が好適であり、好ましくは０．０５〜５質量％、特に好ましくは０．１〜３質量％である。
【００４０】
本組成物溶液に用いられる界面活性剤の配合量が少ないと溶解や可溶化に対して十分な効果を発揮することができないため好ましくなく、逆に多すぎると系に対する使用感が悪くなったり、安全性が損なわれるため好ましくない。
【００４１】
本発明に係る尿素配合組成物の噴射剤としては、ジメチルエーテルが好適に用いられる。噴射剤の配合は、噴射剤／原液との比率で２０／８０〜５０／５０であり、好ましくは２５／７５〜４５／５５、特に好ましくは３０／７０〜４０／６０である。
【００４２】
本発明に係る尿素配合組成物には、この他必要に応じて界面活性剤、清涼剤、抗酸化剤、キレート剤、吸収促進剤、粉末類、防腐剤、香料、色剤等を本発明の効果を損なわない範囲で配合することが出来る。
【００４３】
次に本発明の尿素配合組成物について実施例、比較例を示し、本発明を更に詳しく説明するが、これらはなんら本発明を限定するものではない。なお、以下の例において「％」は特にことわらない限り「質量％」を示し、組成の表中の数値も質量％を示す。
【００４４】
また本発明の尿素配合組成物の製法については特に限定するものではないが、原液の調製については、例えば、スリーワンモーター、ホモミクサー、ディスパーミクサーのような攪拌混合機により調製することができ、原液、噴射剤の充填については、常法により、エアゾール缶に充填することで本発明の尿素配合組成物が調製される。
【００４５】
続いて、本発明と従来技術との比較した実験結果について述べる。
［実施例および比較例］
本発明の尿素配合組成物のエアゾール容器１への安定性を調べるため、実施例１〜３と内袋１１の材質を変えたり、内袋１１を抜去したりした比較例１〜３について安定性試験を実施した。下記の表１は実施例１〜３の配合成分を示し、表２は比較例１〜３の配合成分を示している．
【００４６】
【表１】
2005329048.tif 000003
【００４７】
【表２】
2005329048.tif 000004
実施例１〜３の製法は、次の通りである。原液については、（９）〜（１４）を溶解した水相部に（６）〜（８）の安定化剤をそれぞれ配合する。他方、（１）〜（５）を溶解したエタノール部を水相に添加し、スリーワンモーターで攪拌する。一方、容器本体２（内袋１１）への充填については上記原液６５．０質量％、噴射剤としてジメチルエーテル３５．０質量％を、前記した内袋１１内に充填することにより実施例としてのエアゾール容器１を製造した。
【００４８】
また、比較例１〜３についても、実施例の製法に準じてそれぞれの原液を得た。また、エアゾール容器としては、上記原液６５．０質量％、噴射剤としてジメチルエーテル３５．０質量％を内袋のあるものは内袋１１に充填し、内袋のないものについては直接容器本体２に充填することにより比較例としてのエアゾール容器を製造した。
【００４９】
また、実施例及び比較例に対する評価は、次のようにして行なった。安定性については、回収原液の性状、内面コーティングの状態変化、配合薬物の安定性について５０℃、１ヵ月の経時品を観察して評価した。
【００５０】
回収原液の性状については、
○：変化がみられない、
△：わずかに変色・変化がみられる、
×：変色・変化がみられる
によって評価した。
【００５１】
また、各種容器の内面コーティング剤の変化については、
○：変化がみられない、
△：わずかに内面コーティングの剥離・劣化がみられる、
×：内面コーティングの剥離・劣化がみられる
によって評価した。また、配合薬物の安定性試験の結果については、尿素の定量値を測定し、安定性を評価した（開始時を１００％とした）。
【００５２】
評価の結果を表３に示す。
【００５３】
【表３】
2005329048.tif 000005
以上の結果から明らかなように、内袋１１の材質を変えたり、内袋１１を抜去したりした比較例１〜３では、回収原液に変色・変化が発生すると共に内面コーティングでは劣化・剥離が生じたのに対し、内袋１１を用いた実施例１〜３は各温度条件で放置したあとでも回収原液の変化及び内面コートの変化は確認されず、尿素の安定性においても問題は認められなかった。
【００５４】
次に本発明の尿素配合組成物をより具体的にするため、実施例を更に示す。もちろんこれらはなんら本発明を限定するものではない。そして、これらの製法については、実施例１に準じる。
［実施例４］
（原液処方）                                  配合量（％）
エタノール                                        5.0
ポリオキシエチレン硬化ヒマシ油５０                1.5
フルフェナム酸                                    0.1
アミノ安息香酸エチル                              0.5
酢酸トコフェロール                                0.5
乳酸                                              0.6
キシリトール                                      3.0
ポリエチレングリコール４００                      3.0
カンフル                                         0.05
尿素                                             20.0
精製水                                           残余
計                                  100.0
製法は、実施例１に準じて原液を製造した。
【００５５】
（原液、噴射剤の充填）
上記各原液                      ６５．０質量％
ジメチルエーテル                ３５．０質量％
上記原液および噴射剤をポリエチレン／エバール／ポリエチレンの積層された内袋を用いて、内面テフロン（登録商標）コート処理耐圧エアゾールアルミ缶に充填して本発明の尿素配合組成物を調製した。
［実施例５］
（原液処方）                                  配合量（％）
エタノール                                       25.0
デカグリセリンモノオレエート                      0.8
クロルフェニラミン                                1.0
ジブカイン                                        2.0
グリチルレチン酸                                  0.3
酢酸トコフェロール                                0.5
クエン酸                                          0.5
ジグリセリン                                      5.0
プロピレングリコール                              2.5
尿素                                             20.0
精製水                                           残余
計                                  100.0
（原液、噴射剤の充填）
上記各原液                      ７０．０質量％
ジメチルエーテル                ３０．０質量％
上記原液および噴射剤をナイロン／ポリエチレンの積層された内袋を用いて、内面テフロン（登録商標）コート処理耐圧エアゾールアルミ缶に充填して本発明の尿素配合組成物を調製した。
［実施例６］
（原液処方）                                  配合量（％）
エタノール                                      20.0
ポリオキシエチレン(196)ポリオキシプロピレン(67)
グリコール                                       1.0
ジフェンヒドラミン                               1.0
プロカイン                                       2.0
酒石酸                                           0.4
ポリエチレングリコール１５００                   2.0
ジプロピレングリコール                           2.0
セチル硫酸ナトリウム                             0.1
尿素                                            10.0
グリチルリチン酸二カリウム                       0.5
Ｄ−ボルネオール                                0.05
計                                  100.0
（原液、噴射剤の充填）
上記各原液                      ６５．０質量％
ジメチルエーテル                ３５．０質量％
上記原液および噴射剤をポリエチレン製の内袋を用いて、内面テフロン（登録商標）コート処理耐圧エアゾールアルミ缶に充填して本発明の尿素配合組成物を調製した。
【図面の簡単な説明】
【００５６】
【図１】図１は、本発明の一実施例である尿素配合組成物用エアゾール容器を示す図である。
【符号の説明】
【００５７】
１  エアゾール容器
２  容器本体
３  バルブ
４  吐出ボタン
６  ステム
１０  マウンティングカップ
１１  内袋
【図１】
2005329048.tif 000006